(57)【要約】  複数の送信領域の存在下でのディジタル地上波テレビジョン番組の移動取得を、静的トポロジ情報とディジタル・ストリーム内の動的情報とを組み合わせて使用することによって実行する。特定の地理的領域内の送信セルの静的トポロジを使用して、同じディジタル地上波放送（ＤＴＢ）サービスを提供している可能性のある隣接する送信セルを識別する。識別された隣接する送信セル内の特定の周波数に関する動的ＰＳＩ情報を取得し、これを使用して、移動ビデオ装置がある送信セルから別の送信セルに移動するときに、当該移動ビデオ装置に対して切れ目なくＤＴＢサービスを送信する。
2009506644.tif 000002
【特許請求の範囲】
【請求項１】
複数の送信セルの存在下でディジタル地上波放送（ＤＴＢ）サービスの移動取得を行う方法であって、
最初の送信セルから別の送信セルへの移動装置の移動を識別するステップ（２０４、２０６）と、
送信セルの静的トポロジ・データベースを使用して、前記最初の送信セルに隣接する各送信セルを識別するステップ（２０８）と、
前記識別された隣接する送信セルの少なくとも１つに関する動的番組サービス情報（ＰＳＩ）の照会を実行するステップ（２１０）と、
前記ＰＳＩ照会中にデータが発見されたときに、前記識別された隣接する送信セルから動的ＰＳＩ情報を取得するステップ（２１６）と、
前記隣接する送信セルから前記移動装置にＤＴＢサービスを提供するステップ（２２２）と、
を含む、前記方法。
【請求項２】
照会を実行する前記ステップが、
識別された隣接する送信セルの周波数でＤＴＢサービスが利用可能であるかどうかを判定するステップ（２１０）と、
前記識別された隣接する送信セルの周波数がＤＴＢサービスに対応するデータを含むと判定するステップ（２１４）と、
をさらに含む、請求項１に記載の方法。
【請求項３】
前記識別された周波数上にデータがないと判定されたときに、別の隣接する送信セルを試すステップ（２２０）をさらに含む、請求項２に記載の方法。
【請求項４】
照会を実行する前記ステップが、
識別された隣接する送信セルの周波数でＤＴＢサービスが利用可能であるかどうかを判定するステップ（２１０）と、
前記隣接する送信セルの周波数上でＤＴＢサービスが利用できないと判定されたときに、前記隣接する送信セル上で従来のＳＩ走査を実行するステップ（２１２）と、
をさらに含む、請求項１に記載の方法。
【請求項５】
ＤＴＢサービスを提供する前記ステップが、
前記隣接する送信領域でＤＴＢサービスが再生されているかどうかを判定するステップ（２１８）と、
ＤＴＢサービスが提供されているときに、データ・チャネルＰＩＤＳを決定し、前記隣接する送信領域でサービスを提供するステップ（２２２）と、
をさらに含む、請求項１に記載の方法。
【請求項６】
前記隣接する送信領域でＤＴＢサービスが再生されていないと判定されたときに、別の隣接する送信セルを試すステップ（２２０）をさらに含む、請求項５に記載の方法。
【請求項７】
前記ＤＴＢサービスが、テレビジョン、有料テレビジョン、双方向番組、およびラジオの少なくとも１つを含む、請求項１に記載の方法。
【請求項８】
複数の送信セルの存在下でディジタル地上波テレビジョン番組の移動取得を行う方法であって、
移動ビデオ装置によって現在視聴されている番組が、最初の送信セルから再生できなくなることを識別するステップ（２０６）と、
送信セルの静的トポロジ・マップを使用して、前記最初の送信セルに隣接する少なくとも１つの送信セルを識別するステップ（２０８）と、
識別された隣接する送信セルの周波数上で前記番組が利用可能であるかどうかを判定するステップ（２１０）と、
前記識別された隣接する送信セルの周波数上で前記番組が利用可能であるときに、前記識別された隣接する送信セルの動的ＰＳＩ情報を取得するステップ（２１６）と、
前記隣接する送信セル内で前記番組が再生されているかどうかを判定するステップ（２１８）と、
前記隣接する送信セル内で前記番組が再生されているときに、前記隣接する送信セルから前記移動装置で前記番組を再生するステップ（２２２）と、
を含む、前記方法。
【請求項９】
少なくとも１つの送信セルを識別する前記ステップが、静的トポロジカル送信領域データベースを参照して、前記最初の送信セルに隣接する送信セルを探すステップ（２０８）をさらに含む、請求項８に記載の方法。
【請求項１０】
前記識別された隣接する送信セルの周波数上で前記番組が利用可能であるかどうかを判定する前記ステップが、前記周波数上で前記番組が利用可能であると判定されたときに、データを探して前記周波数を探索するステップ（２１４）をさらに含む、請求項８に記載の方法。
【請求項１１】
前記探索された周波数上にデータがないと判定されたときに、別の隣接する送信セルを試すステップ（２２０）をさらに含む、請求項１０に記載の方法。
【請求項１２】
前記隣接する送信セルの周波数上で番組が利用できないときに、従来のＳＩ走査を実行するステップ（２１２）をさらに含む、請求項８に記載の方法。
【請求項１３】
複数の送信セルの存在下でディジタル地上波放送（ＤＴＢ）サービスの移動取得を行う方法であって、
第１の送信セル内で移動装置に提供されているサービスが、前記第１の送信セルの外側に前記移動装置が移動することによって失われると判定するステップ（２０４、２０６）と、
前記第１の送信セルに隣接する送信セルを識別するステップ（２０８）と、
前記第１の送信セル内で既に提供されているサービスが、前記識別された隣接する送信セル内の周波数上で利用可能であるかどうかを判定するステップ（２１０）と、
前記周波数上にデータがあるときに、前記識別された隣接する送信セルの動的ＰＳＩ情報を取得するステップ（２１６）と、
前記サービスが前記隣接する送信セルによって提供されると判定されたときに、前記隣接する送信セルから前記移動装置にサービスを提供するステップ（２２２）と、
を含む、前記方法。
【請求項１４】
前記識別するステップ（２０８）が、所定の地理的領域内の全ての送信セル、前記送信セルが提供するサービス、前記送信セルが送信する周波数、および前記送信セルの重なり具合を記載した静的トポロジ・マップを使用して実行される、請求項１３に記載の方法。
【請求項１５】
前記周波数上にデータ・コンテンツが存在しないために前記取得するステップが実行されないときに、別の隣接する送信セルを試すステップ（２２０）をさらに含む、請求項１３に記載の方法。
【発明の詳細な説明】
【技術分野】
【０００１】
本発明は、地上波テレビジョン・ネットワークに関する。さらに詳細には、本発明は、複数の送信領域の存在下でのディジタル地上波テレビジョン番組の移動取得に関する。
【背景技術】
【０００２】
地上波テレビジョン（ｏｖｅｒ−ｔｈｅ−ａｉｒ（ＯＴＡ）とも呼ばれる）は、ケーブル・テレビジョンおよび衛星テレビジョンが登場する以前の、従来のテレビジョン放送信号送出方法である。現在でも広く使用されているが、国によっては次第に時代遅れになりつつあり、国によってはディジタル地上波が普及してきている。地上波テレビジョンでは、通常は暗号化せずに空間を伝送される電波を用いる（一般に「無料放送」テレビジョンと呼ばれる）。
【０００３】
地上波テレビジョン放送の歴史は、１９２７年４月７日、米国ワシントンＤＣから最初の長距離公共テレビジョン放送が行われ、メディアとしてのテレビジョンが誕生した、まさにその日から始まった。高空を旋回する飛行機から成層圏テレビジョンと呼ばれるウェスティングハウス社製のシステムを用いて送信する方法を除けば、ケーブル・テレビジョンまたは共同アンテナ・テレビジョン（ＣＡＴＶ）が登場する１９５０年代までは、テレビジョンを送出する他の方法は事実上存在しなかった。地上の信号源から発出された信号によらない、非地上波による最初のテレビジョン信号送出方法は、１９６０年代および１９７０年代に通信衛星が使用されるようになったときに始まった。
【０００４】
米国では、また北米大陸の残りのほとんどの地域でも、１９５３年にカラー・テレビジョン放送のＮＴＳＣ規格を最終的に受け入れたことが、地上波テレビジョンの画期的な転換点になった。その後、ヨーロッパや世界のその他の地域は、後発のカラー・テレビジョン規格であるＰＡＬとＳＥＣＡＭの何れかを選択するか、ＮＴＳＣを採用した。
【０００５】
ＣＡＴＶの脅威だけでなく、現在、アナログ地上波テレビジョンは、衛星テレビジョン、ならびに映像および映画のインターネット配信とも競わなければならなくなっている。ディジタル地上波テレビジョン技術は、こうした難題への答えとして開発されている。ディジタル地上波テレビジョン、特にＨＤＴＶの登場は、無線ＨＤＴＶ信号を受信できる従来の受信アンテナによるテレビジョン放送受信の衰退に歯止めを掛けるかもしれない。
【０００６】
北米では、地上波放送テレビジョンは、２から６までのＴＶチャネル（ＶＨＦロー・バンド、ヨーロッパではバンド１と呼ばれる）、７から１３までのＴＶチャネル（ＶＨＦハイ・バンド、他の地域ではバンド３と呼ばれる）、および１４から６９までのＴＶチャネル（ＵＨＦテレビジョン・バンド、他の地域ではバンド４および５）を使用している。チャネル番号は、テレビジョン信号の放送に使用される実際の周波数を表す。さらに、テレビジョン・トランスレータおよびブースタを使用して、他に使用されていないチャネルを利用して地上波ＴＶ信号を再放送し、受信限界領域をカバーすることもできる。
【０００７】
ヨーロッパでは、１９６１年に国際電気通信連合の主催でストックホルムで開かれた計画会議（ＳＴ６１）において、バンド４およびバンド５の周波数を初めて放送テレビジョン用途に割り振った。これは、バンド２の周波数をＦＭラジオに、バンド３の周波数をテレビジョンに初めて割り振った１９５１年の計画（やはりストックホルムで策定された）に代わるものでもあった。
【０００８】
ＳＴ６１会議に続き、１９６４年には、英国で、ＢＢＣ２の導入に伴い初めてＵＨＦ周波数が使用された。バンド３のテレビジョン放送は、ＵＨＦバンドで４つのアナログ番組が導入された後、１９８５年１月６日に最後のＶＨＦ送信機のスイッチが切られるまで続いた。
【０００９】
ヨーロッパでも、地上波アナログ・テレビジョンの成功の程度は国によって様々である。ＳＴ６１計画によりそれぞれの国が一定数の周波数の権利を有しているが、その全てが運用されているわけではない。
【００１０】
１９９０年代中頃まで、ヨーロッパにおけるディジタル・テレビジョンへの関心は、ＣＥＰＴが「Ｃｈｅｓｔｅｒ’９７」会議を開催し、ディジタル・テレビジョンをＳＴ６１周波数計画に盛り込むための方策について合意したというようなものだった。
【００１１】
１９９０年代後半から２１世紀初頭にかけてのディジタル・テレビジョンの登場により、ＩＴＵは、地域無線通信会議を招集して、ＳＴ６１計画を廃止し、その代わりにディジタル放送のみに対応した新たな計画を策定した。
【００１２】
２０１２年までに、ＥＵはディジタル地上波テレビジョン放送に完全に移行する。一部のＥＵ加盟国は、２００８年にはこの移行を完了することを決定している（例えばスウェーデン）。
【００１３】
これらのディジタル地上波テレビジョン放送ネットワークは、多周波数ネットワーク（ＭＦＮ：Ｍｕｌｔｉ−Ｆｒｅｑｕｅｎｃｙ  Ｎｅｔｗｏｒｋ）である。この構成では、与えられる各サービスが、有効範囲の地域全体に異なる周波数で送信される。各マルチプレックス（ｍｕｌｔｉｐｌｅｘ）内には、通常８〜１２個のサービスがある。英国におけるサービスの例としては、ＢＢＣ  Ｏｎｅ（ワン）、ＩＴＶ１、Ｓｋｙ  Ｔｒａｖｅｌ（スカイ・トラベル）、およびＢＢＣ  Ｒａｄｉｏ１（ラジオ１）がある。
【発明の開示】
【発明が解決しようとする課題】
【００１４】
このディジタル地上波テレビジョン・ネットワークの新時代には、移動（携帯型）テレビジョン装置は、さらに普及していくだけでなく、その本質上、複数の送信領域を移動することによって発生しうるドロップ・アウトまたはその他の干渉を生じずに、エンド・ユーザに切れ目なく情報を送るさらなる機能を必要とすることになる。
【課題を解決するための手段】
【００１５】
ディジタル・ビデオ・ブロードキャスティング（ＤＶＢ：Ｄｉｇｉｔａｌ  Ｖｉｄｅｏ  Ｂｒｏａｄｃａｓｔｉｎｇ）に準拠した地上波ＴＶネットワークは、送信ネットワークで利用できるテレビジョン番組を記載した、ディジタル信号内のサービス情報（ＳＩ：Ｓｅｒｖｉｃｅ  Ｉｎｆｏｒｍａｔｉｏｎ）を搬送する。隣接する送信ネットワークも、同様の番組を搬送していることがある。本発明は、複数のセル間を移動する間に、静的トポロジ情報とディジタル・ストリーム内の動的情報とを組み合わせて使用して、新しいネットワーク内に存在するサービスを迅速に識別し、それにより移動ビデオ受信機が様々なセル間を移動しながら同じ番組を再生し続けることができるようにする方法を提供する。
【００１６】
本発明の上記その他の態様は、最初の送信セルから別の送信セルへの移動装置の移動を識別し、送信セルの静的トポロジ・データベースを使用して、最初の送信セルに隣接する各送信セルを識別し、識別された隣接する送信セルの少なくとも１つに関する動的番組サービス情報（ＰＳＩ：Ｐｒｏｇｒａｍ  Ｓｅｒｖｉｃｅ  Ｉｎｆｏｒｍａｔｉｏｎ）の照会を実行し、ＰＳＩ照会中にデータが発見されたときに、識別された隣接する送信セルから動的ＰＳＩ情報を取得し、隣接する送信セルから移動装置にＤＴＢサービスを提供することによって実施される。
【００１７】
本発明の１実施態様によれば、上記のＰＳＩ照会の実行は、識別された隣接する送信セルの周波数でＤＴＢサービスが利用可能であるかどうかを判定すること、および識別された隣接する送信セルの周波数がＤＴＢサービスに対応するデータを含むと判定することをさらに含む。識別された周波数上にデータがないと判定されたときには、別の隣接する送信セルを試す。
【００１８】
本発明の別の態様によれば、上記のＰＳＩ照会の実行は、識別された隣接する送信セルの周波数でＤＴＢサービスが利用可能であるかどうかを判定すること、および隣接する送信セルの周波数上でＤＴＢサービスが利用できないと判定されたときに、隣接する送信セル上で従来のＳＩ走査を実行することをさらに含む。
【００１９】
１実施態様によれば、上記のＤＴＢサービスの提供は、隣接する送信領域でＤＴＢサービスが再生されているかどうかを判定すること、およびＤＴＢサービスが提供されているときに、データ・チャネルＰＩＤＳを決定し、隣接する送信領域でサービスを提供することをさらに含む。隣接する送信領域でＤＴＢサービスが再生されていないと判定されたときには、別の隣接する送信セルを試す。
【００２０】
ＤＴＢサービスは、例えば、テレビジョン、有料テレビジョン、双方向番組、および／またはラジオとすることができる。
【００２１】
本発明のさらに別の態様によれば、複数の送信セルの存在下でディジタル地上波テレビジョン番組の移動取得を行う方法は、移動ビデオ装置によって現在視聴されている番組が、最初の送信セルから再生できなくなることを識別すること、送信セルの静的トポロジ・マップを使用して、最初の送信セルに隣接する少なくとも１つの送信セルを識別すること、識別された隣接する送信セルの周波数上で当該番組が利用可能であるかどうかを判定すること、識別された隣接する送信セルの周波数上で当該番組が利用可能であるときに、識別された隣接する送信セルの動的ＰＳＩ情報を取得すること、隣接する送信セル内で当該番組が再生されているかどうかを判定すること、および隣接する送信セル内で当該番組が再生されているときに、隣接する送信セルから移動装置で当該番組を再生することを含む。
【００２２】
上記の少なくとも１つの送信セルの識別は、静的トポロジカル送信領域データベースを参照して、最初の送信セルに隣接する送信セルを探すことをさらに含む。さらに、上記の識別された隣接する送信セルの周波数上で当該番組が利用可能であるかどうかの判定は、当該周波数上で当該番組が利用可能であると判定されたときに、データを探して当該周波数を探索することをさらに含む。隣接する送信セルの周波数上で番組が利用できないときには、従来のＳＩ走査が実行される。
【００２３】
さらに別の態様によれば、複数の送信セルの存在下でディジタル地上波放送（ＤＴＢ）サービスの移動取得を行う方法は、第１の送信セル内で移動装置に提供されているサービスが、第１の送信セルの外側に移動装置が移動することによって失われると判定すること、第１の送信セルに隣接する送信セルを識別すること、第１の送信セル内で既に提供されているサービスが、識別された隣接する送信セル内の周波数上で利用可能であるかどうかを判定すること、当該周波数上にデータがあるときに、識別された隣接する送信セルの動的ＰＳＩ情報を取得すること、および当該サービスが隣接する送信セルによって提供されると判定されたときに、隣接する送信セルから移動装置にサービスを提供することを含む。
【００２４】
本発明の上記その他の態様および特徴は、以下の詳細な説明を添付の図面と併せて読めば明らかになるであろう。ただし、図面は単なる例示を目的としたものであって本発明の範囲を定義するものではなく、本発明の範囲については添付の特許請求の範囲を参照すべきであることを理解されたい。さらに、図面は必ずしも一定の縮尺で描いてあるわけではなく、特に指定しない限り、これらの図面は本明細書に記載の構造および手順の概念を例示しているに過ぎないことも理解されたい。
【００２５】
全ての図面を通じて、同じ参照番号は同様の構成要素を示す。
【発明を実施するための最良の形態】
【００２６】
本発明は、ハードウェア、ソフトウェア、ファームウェア、特殊目的プロセッサまたはそれらの組合せといった様々な形態で実施することができることを理解されたい。本発明は、ハードウェアとソフトウェアの組合せとして実施されることが好ましい。さらに、ソフトウェアは、プログラム記憶装置に明白に実装されたアプリケーション・プログラムとして実施することが好ましい。アプリケーション・プログラムは、任意の適当なアーキテクチャを有するマシンにアップロードして実行することができる。このマシンは、１つまたは複数の中央処理装置（「ＣＰＵ」）、ランダム・アクセス・メモリ（「ＲＡＭ」）および１つまたは複数の入出力（「Ｉ／Ｏ」）インタフェースなどのハードウェアを有するコンピュータ・プラットフォームに実装されることが好ましい。コンピュータ・プラットフォームは、オペレーティング・システムおよびマイクロ命令コードも含む。本明細書に記載の様々なプロセスおよび機能は、オペレーティング・システムを介して実行されるマイクロ命令コードの一部またはアプリケーション・プログラムの一部（あるいはそれらの組合せ）とすることもできる。さらに、追加のデータ記憶装置や印刷装置など、その他の様々な周辺機器をコンピュータ・プラットフォームに接続することもできる。
【００２７】
さらに、添付の図面に示すシステム構成要素および方法の一部はソフトウェアで実施することが好ましいので、システム構成要素間（またはプロセス・ステップ間）の実際の接続形態は、本発明を実施する方法によって変わることがあることを理解されたい。本明細書の教示があれば、当業者なら、上記の、およびそれに類する本発明の実施態様または構成を考えつくことができるであろう。
【００２８】
図１は、英国（ＵＫ）の地図１０である。本明細書で英国の地理的領域を示すのは、単に例示のためである。当業者なら、本明細書に開示する概念および原理が、本発明の精神を逸脱することなく、いかなる地理的領域のいかなるディジタル地上波ネットワークにも適用可能であることを理解するであろう。一般に、この国または地理的領域は複数の送信機１２でカバーされ、これらの送信機１２は、一部の送信機の有効範囲は部分的に重なり合い、一部の送信機の有効範囲は重なり合わないように、当該地理的領域全体に分布している。図１のトポロジカル・マップは、１つの送信領域から別の送信領域に移行するときに基準として使用することができる静的トポロジカル・セル・データベース（ｓｔａｔｉｃ  ｔｏｐｏｌｏｇｉｃａｌ  ｃｅｌｌ  ｄａｔａｂａｓｅ）として記憶することができる。
【００２９】
例えば、各送信機１２は特定の電力定格を有し、その結果、有効範囲が異なる。予想されるとおり、信号受信領域は中心１４が最も強く、送信機から同心円状に低下していき、当該送信機の信号の強度が弱まって付加的なアンテナ強度が必要になる他の２つの領域１６および１８を形成する。本明細書に示す英国の例では、各送信機１２は、６つのマルチプレックス（１、２、Ａ、Ｂ、ＣおよびＤ）を含む。各マルチプレックスは、当該送信機の他の５つのマルチプレックス、および隣接する送信機のマルチプレックスとは異なる周波数で送信される。各マルチプレックスは、８〜１２個のサービスを搬送する（例えばＴＶ、ラジオ、および対話サービス）。
【００３０】
従って、移動ビデオ装置が特定の送信セル／領域の外側領域に向かって移動するとき（すなわち当該特定の送信セル／領域の信号強度部分が弱くなるとき）、当該の移動ＴＶまたはその他のビデオ装置は、複数の送信領域間を移動することによって発生しうる信号ドロップ・アウトまたはその他の干渉を回避するために、その同じチャネルに対する隣接する送信機サイトごとの様々な周波数を識別することができなければならない。本発明の方法は、複数の送信領域の存在下でのディジタル地上波ＴＶ番組の移動取得に関するこの潜在的な問題に対処し、これを解決する。
【００３１】
Ｄｉｇｉｔａｌ  Ｖｉｄｅｏ  Ｂｒｏａｄｃａｓｔｉｎｇ  Ｔｅｒｒｅｓｔｒｉａｌ（ＤＶＢ−Ｔ）に準拠したディジタル・テレビジョン送信信号は、番組およびコンテンツを物理的な送信領域またはネットワーク内の周波数にマッピングするサービス情報（ＳＩ）を含む。様々な周波数に同調し、ディジタル・チャネル情報（ＰＩＤＳと呼ばれる）を抽出することにより、テレビジョンまたはその他のビデオ装置（例えば移動ビデオ装置）にテレビジョン番組の音声および映像を表示することができる。
【００３２】
番組は、サービスＩＤによって識別される。従って、サービスＩＤを知ることによって、ＳＩテーブル（またはマップ）をナビゲートすることが可能になるだけでなく、当該サービスが再生される周波数を識別し、ディジタル・チャネル情報を決定することもできるので、番組を復号し、表示することができるようになる。
【００３３】
移動ビデオ装置の場合のように、複数の送信セル（領域）の存在下では、ある特定の番組が、異なる送信セル内の異なるディジタル・チャネル情報を有する複数の周波数上で見つかることもある。静的なトポロジカル情報とストリーム内の動的なＳＩ情報とを組み合わせて使用することにより、本発明の方法およびシステムは、１つのセルから次のセルに移行したときに番組を再生するために必要な情報を素早く決定することを可能にする。
【００３４】
これを行うために、ディジタル・ストリーム内に組み込まれたサービス情報は、１）準静的ネットワーク／サービス情報と、２）動的番組サービス情報（ＰＳＩ）の、２つのタイプに分割される。準静的ネットワーク／サービス情報は、送信ネットワークおよびサービス／周波数マッピングを記述する。動的ＰＳＩは、番組を再生するためのディジタル・チャネル情報を記述する。第１のタイプの情報は、比較的静的である（すなわちそれぞれの送信セルに関する地理情報）ので、対象テレビジョン市場内の全ての送信セルまたは領域のトポロジカル・マップをコンパイルすることができる。このマップは、全ての送信セルと、それらが提供するサービスと、それらが送信に使う周波数と、最も重要な、それらの重なり具合とを記述する。
【００３５】
１つの送信セルから次の送信セルに移行するとき、トポロジカル・マップを使用して、現在の送信セルと重なり合う全ての送信セルを探査し（例えば放送電波を走査し）、当該装置がどのセルに侵入しようとしているのかを素早く決定することができる。これにより、装置は、新しい送信セル内ではどの周波数に番組を見つけることができるかを決定することができる。周波数が判明したら、動的ＰＳＩ情報を素早く探査して、その番組のディジタル・チャネル情報を決定する。これで、新しい送信セル内で当該番組を再生することができるようになる。
【００３６】
本明細書に記載する本発明の方法は、移動装置が新しい送信セル内で番組を取得して再生する、または継続的にサービスを提供するために必要とする時間を、ほぼ一桁（すなわち２０〜３０秒だったのに対して２〜３秒に）短縮する。
【００３７】
図２は、本発明の１態様による、ディジタル地上波テレビジョン番組またはその他の放送サービスの移動取得を行う方法の例示的な実施態様を示す流れ図２００である。本明細書で使用されるディジタル地上波放送（ＤＴＢ）サービスには、例えば、ＤＶＢ−Ｔ準拠ディジタル・テレビジョン番組、その他のタイプのディジタル・テレビジョン番組、有料テレビジョン番組、データ・サービス、ラジオ・サービス、ならびに双方向ビデオ番組およびシステムなどがある。
【００３８】
ここに示す例示的な実施形態では、ユーザは、最初の送信セル内でＴＶ番組を再生することを選択する（２０２）。次いで、ユーザは、別の送信セルの領域に移動する（２０４）。次いで、移動ＴＶ装置は、当該ＴＶ番組が以前の（古い）送信セルからは再生することができなくなったと判定する（２０６）。次いで、システムは、静的トポロジカル・セル・データベースを参照して、以前の（古い）送信セルと物理的に隣接する送信セルを探す（２０８）。次いで、システムは、当該ＴＶ番組が隣接するセルの周波数で利用できるかどうかを判定する（２１０）。「ＮＯ（いいえ）」である場合には、従来のＳＩ走査を実行する（２１２）。［この走査後の動作は？］「ＹＥＳ（はい）」である場合には、周波数を探査して、当該周波数に任意のデータがあるかどうか（番組がそこにあるかどうか）を判定する（２１４）。当該周波数にデータがない場合には、別の隣接するセルを試し（２２０）、当該隣接するセルの周波数で当該番組が利用できるかどうかの判定（２１０）を再度実行する。
【００３９】
探査した周波数にデータがある場合（２１４）には、当該周波数の動的ＰＳＩ情報を取得し（２１６）、新しいセル（送信領域）でサービスが提供されているかどうかを判定する（２１８）。提供されている場合には、データ・チャネルＰＩＤＳを決定して、新しいセル（送信領域）内で当該ＴＶ番組を再生する、またはサービスを提供する（２２２）。新しいセル内でサービスが再生されていない場合には、別の隣接するセル（送信領域）について試み（２２０）、上記プロセスを繰り返す。
【００４０】
以上、本発明の基本的な新規性のある特徴について図示し、説明し、指摘したが、当業者なら、本発明の趣旨を逸脱することなく、説明した方法および例示した装置の形状および細部、ならびにそれらの動作に、様々な省略、置換、変更を行うことができることを理解されたい。例えば、実質的に同じ方法で実質的に同じ機能を実行して同じ結果をもたらす要素および／または方法ステップの全ての組合せは、明白に本発明の範囲に含まれるものとする。さらに、本発明の任意の開示の形態または実施態様に関連して図示および／または説明した構造および／または要素および／または方法ステップは、一般的な設計の選択の問題として、開示、説明または示唆したその他の任意の形態または実施態様に組み込むことができることを理解されたい。従って、本発明は、本明細書に添付の特許請求の範囲が示すようにのみ限定されるものとする。
【図面の簡単な説明】
【００４１】
【図１】本発明を実施することができるディジタル地上波テレビジョン・ネットワークの例示的な送信機有効範囲マップを示す英国の図である。
【図２】本発明の１態様による、複数の送信領域の存在下でのディジタル地上波テレビジョン番組の移動取得を示す流れ図である。
【図１】
2009506644.tif 000003
【図２】
2009506644.tif 000004
【国際調査報告】
2009506644.tif 000005
2009506644.tif 000006